(57)【特許請求の範囲】
【請求項１】
機器から、当該機器に関する機器情報を取得する機器情報取得部と、
前記機器情報に付加情報を付加して機器管理情報を生成する機器管理情報生成部と、
前記機器管理情報を機器管理装置に送信する送信部と、
前記機器を利用する利用側と前記機器を管理する管理側との間で契約により定められた開示レベルを示す契約開示レベル情報を取得する契約開示レベル情報取得部と、
前記契約開示レベル情報に基づいて、前記機器管理情報から蓄積用の蓄積機器情報を生成する蓄積機器情報生成部と、
前記蓄積機器情報を蓄積装置に蓄積させる蓄積制御部と、
を備える中継装置。
【請求項２】
開示レベル毎に、蓄積が許可される情報及び蓄積が許可されない情報の少なくともいずれかを示す蓄積基準情報を対応付けた蓄積制御情報を記憶する蓄積制御情報記憶部と、
前記蓄積制御情報から、前記契約開示レベル情報が示す開示レベルに対応付けられた蓄積基準情報を取得する蓄積基準情報取得部と、を更に備え、
前記蓄積機器情報生成部は、前記機器管理情報から前記取得された蓄積基準情報が示す蓄積が許可される情報を抽出して、前記蓄積機器情報を生成する請求項１に記載の中継装置。
【請求項３】
契約管理装置から、前記契約開示レベル情報を含む契約情報を取得する契約情報取得部と、
前記契約情報を記憶する契約情報記憶部と、を更に備え、
前記契約開示レベル情報取得部は、前記契約情報から前記契約開示レベル情報を取得する請求項１又は２に記載の中継装置。
【請求項４】
蓄積機能の有効化及び無効化を制御する蓄積機能制御部を更に備え、
前記契約開示レベル情報取得部は、前記蓄積機能が有効化されている場合、前記契約情報から前記契約開示レベル情報を取得し、前記蓄積機能が無効化されている場合、前記契約情報から前記契約開示レベル情報を取得しない請求項３に記載の中継装置。
【請求項５】
前記蓄積機能制御部は、前記契約情報が取得されると、前記蓄積機能を有効化する請求項４に記載の中継装置。
【請求項６】
前記契約情報は、前記契約の有効期間を示す有効期間情報を更に含み、
前記蓄積機能制御部は、前記有効期間情報が示す有効期間が経過すると、前記蓄積機能を無効化する請求項５に記載の中継装置。
【請求項７】
前記契約情報取得部は、前記契約管理装置から、前記契約の更新後の契約情報を更に取得し、前記契約情報記憶部に記憶された前記契約情報を前記更新後の契約情報で更新する請求項３〜６のいずれか１つに記載の中継装置。
【請求項８】
前記中継装置及び前記蓄積装置は、前記利用側に配置され、
前記機器管理装置は、前記管理側に配置されている請求項１〜７のいずれか１つに記載の中継装置。
【請求項９】
機器から当該機器に関する機器情報を取得する機器情報取得部と、
前記機器情報に付加情報を付加して機器管理情報を生成する機器管理情報生成部と、
前記機器管理情報を機器管理装置に送信する送信部と、
前記機器を利用する利用側と前記機器を管理する管理側との間で契約により定められた開示レベルを示す契約開示レベル情報を取得する契約開示レベル情報取得部と、
前記契約開示レベル情報に基づいて、前記機器管理情報から蓄積用の蓄積機器情報を生成する蓄積機器情報生成部と、
前記蓄積機器情報を蓄積装置に蓄積させる蓄積制御部と、
してコンピュータを機能させるためのプログラム。
【請求項１０】
中継装置と機器管理装置とを備える機器管理システムであって、
前記中継装置は、
機器から当該機器に関する機器情報を取得する機器情報取得部と、
前記機器情報に付加情報を付加して機器管理情報を生成する機器管理情報生成部と、
前記機器管理情報を前記機器管理装置に送信する送信部と、
前記機器を利用する利用側と前記機器を管理する管理側との間で契約により定められた開示レベルを示す契約開示レベル情報を取得する契約開示レベル情報取得部と、
前記契約開示レベル情報に基づいて、前記機器管理情報から蓄積用の蓄積機器情報を生成する蓄積機器情報生成部と、
前記蓄積機器情報を蓄積装置に蓄積させる蓄積制御部と、を備え、
前記機器管理装置は、
前記機器管理情報を管理する管理部を備える機器管理システム。
【発明の詳細な説明】
【技術分野】
【０００１】
本発明は、中継装置、プログラム及び機器管理システムに関する。
【背景技術】
【０００２】
従来から、機器管理の顧客側の環境に中継装置を配置し、当該中継装置を用いて顧客側の環境に配置された機器の機器情報を取得し、取得した機器情報から機器管理情報を生成し、生成した機器管理情報を機器管理の事業者側の環境に配置された機器管理装置に送信することで、顧客側の機器を事業者側で遠隔管理する技術が知られている。
【０００３】
また、機器の動作履歴を外部装置に保存する技術が知られている（例えば、特許文献１参照）。
【発明の概要】
【発明が解決しようとする課題】
【０００４】
ところで、上述したような機器管理技術において、顧客側からは、例えば、セキュリティ監査などに対処するため、中継装置が機器管理装置に送信した機器管理情報を顧客側に蓄積させる機能が要望されている。
【０００５】
しかしながら、機器管理情報には、顧客側の秘密情報だけでなく、事業者側の秘密情報も含まれているため、顧客側と事業者側との間で締結された秘密保持契約に沿って機器管理情報を蓄積させる必要がある。但し、このための設定を人手で行わせると、操作ミスによる適切な情報の蓄積漏れや不適切な情報の蓄積が生じるおそれがある。
【０００６】
本発明は、上記事情に鑑みてなされたものであり、契約に沿った内容で機器管理情報を蓄積させることができる中継装置、プログラム及び機器管理システムを提供することを目的とする。
【課題を解決するための手段】
【０００７】
上述した課題を解決し、目的を達成するために、本発明の一態様にかかる中継装置は、機器から、当該機器に関する機器情報を取得する機器情報取得部と、前記機器情報に付加情報を付加して機器管理情報を生成する機器管理情報生成部と、前記機器管理情報を機器管理装置に送信する送信部と、前記機器を利用する利用側と前記機器を管理する管理側との間で契約により定められた開示レベルを示す契約開示レベル情報を取得する契約開示レベル情報取得部と、前記契約開示レベル情報に基づいて、前記機器管理情報から蓄積用の蓄積機器情報を生成する蓄積機器情報生成部と、前記蓄積機器情報を蓄積装置に蓄積させる蓄積制御部と、を備える。
【発明の効果】
【０００８】
本発明によれば、契約に沿った内容で機器管理情報を蓄積させることができるという効果を奏する。
【図面の簡単な説明】
【０００９】
【図１】図１は、本実施形態の機器管理システムの構成の一例を示すブロック図である。
【図２】図２は、本実施形態の中継装置のハードウェア構成の一例を示すブロック図である。
【図３】図３は、本実施形態の契約管理装置のハードウェア構成の一例を示すブロック図である。
【図４】図４は、本実施形態の機器管理装置のハードウェア構成の一例を示すブロック図である。
【図５】図５は、本実施形態の蓄積装置のハードウェア構成の一例を示すブロック図である。
【図６】図６は、本実施形態の機器管理システムの機能構成の一例を示すブロック図である。
【図７】図７は、本実施形態の秘密保持契約の一例を示す図である。
【図８】図８は、本実施形態の蓄積制御情報の一例を示す図である。
【図９】図９は、本実施形態の機器管理システムで実行される契約情報登録処理の一例を示すシーケンス図である。
【図１０】図１０は、本実施形態の機器管理システムで実行される契約情報更新処理の一例を示すシーケンス図である。
【図１１】図１１は、本実施形態の中継装置で実行される蓄積機能制御処理の一例を示すフローチャートである。
【図１２】図１２は、本実施形態の機器管理システムで実行される機器管理処理の一例を示すシーケンス図である。
【図１３】図１３は、本実施形態の中継装置で実行される蓄積機器情報生成処理の一例を示すフローチャートである。
【図１４】図１４は、本実施形態の機器管理システムで実行される蓄積処理の一例を示すシーケンス図である。
【発明を実施するための形態】
【００１０】
以下、添付図面を参照しながら、本発明にかかる中継装置、プログラム及び機器管理システムの実施形態を詳細に説明する。
【００１１】
図１は、本実施形態の機器管理システム１の構成の一例を示すブロック図である。図１に示すように、機器管理システム１は、中継装置１０と、契約管理装置２０と、機器３０と、機器管理装置４０と、蓄積装置５０と、を備える。
【００１２】
中継装置１０、機器３０、及び蓄積装置５０は、利用側ｓｉｔｅ（利用側の一例）に配置され、契約管理装置２０及び機器管理装置４０は、管理側ｓｉｔｅ（管理側の一例）に配置されている。
【００１３】
利用側ｓｉｔｅは、機器管理装置４０が提供する機器管理機能を利用する顧客側、即ち、機器３０を実際に利用する側の環境である。管理側ｓｉｔｅは、機器管理装置４０を用いて機器管理機能を顧客に提供する事業者側、即ち、機器３０を実際に管理（遠隔管理）する側の環境である。なお、契約管理装置２０が配置される管理側ｓｉｔｅと機器管理装置４０が配置される管理側ｓｉｔｅとは、物理的に同一のｓｉｔｅである必要はなく、いずれも管理側のｓｉｔｅであれば、物理的に異なるｓｉｔｅであってもよい。
【００１４】
中継装置１０、機器３０、及び蓄積装置５０は、内部ネットワーク２を介して接続されている。また、内部ネットワーク２は、外部ネットワーク３と接続されており、中継装置１０は、内部ネットワーク２及び外部ネットワーク３を介して、契約管理装置２０及び機器管理装置４０と通信可能となっている。
【００１５】
内部ネットワーク２は、例えば、ＬＡＮ（Local  Area  Network）やＷＡＮ（Wide  Area  Network）など、利用側ｓｉｔｅ内で使用されるローカルなネットワークが挙げられる。外部ネットワーク３は、例えば、インターネットなどが挙げられる。
【００１６】
契約管理装置２０は、利用側と管理側との間で締結された秘密保持契約（契約の一例）の内容を電子化（データ化）した契約情報を管理するものであり、契約情報管理用のプログラムがインストールされたコンピュータなどにより実現できる。
【００１７】
中継装置１０は、機器３０から、当該機器３０に関する機器情報を取得し、取得した機器情報から当該機器３０の機器管理情報を生成し、機器管理装置４０に送信する。また、中継装置１０は、契約管理装置２０が管理する契約情報に従って、機器管理装置４０に送信した機器管理情報から蓄積用の蓄積機器情報を生成し、蓄積装置５０に蓄積する。中継装置１０は、中継用のプログラムがインストールされたコンピュータなどにより実現できる。
【００１８】
機器３０は、内部ネットワーク２に接続可能な機器であればよく、例えば、印刷装置、複写機、複合機、スキャナ装置、及びファクシミリ装置等の画像形成装置、並びにプロジェクタ、カメラ、エアコン、冷蔵庫、蛍光灯、自販機、及びハンドヘルド型端末等の各種電子機器などが該当する。複合機（ＭＦＰ：Multifunction  Peripheral）は、複写機能、印刷機能、スキャナ機能、及びファクシミリ機能のうち少なくとも２つの機能を有するものである。
【００１９】
なお本実施形態では、機器３０が画像形成装置である場合を例に取り説明するが、これに限定されるものではない。また、図１に示す例では、利用側ｓｉｔｅに配置され、機器管理装置４０で管理される機器の台数が１台となっているが、実際には複数の機器が配置されている。つまり、利用側ｓｉｔｅに配置されている機器の台数は、何台であってもよい。
【００２０】
機器管理装置４０は、中継装置１０から機器管理情報を受信し、受信した機器管理情報を管理することで、機器３０を管理する。機器管理装置４０は、機器管理用のプログラムがインストールされたコンピュータなどにより実現できる。
【００２１】
蓄積装置５０は、中継装置１０により機器３０の蓄積機器情報が蓄積（記憶）されるものであり、データベースとして機能するコンピュータなどにより実現できる。なお本実施形態では、中継装置１０と蓄積装置５０とを別々の装置としているが、蓄積装置５０を中継装置１０が備える記憶装置として実現してもよい。
【００２２】
図２は、本実施形態の中継装置１０のハードウェア構成の一例を示すブロック図である。図２に示すように、中継装置１０は、ＣＰＵ（Central  Processing  Unit）やＧＰＵ（Graphics  Processing  Unit）などの制御装置１０１と、ＲＯＭ（Read  Only  Memory）やＲＡＭ（Random  Access  Memory）などの主記憶装置１０３と、ＨＤＤ（Hard  Disk  Drive）やＳＳＤ（Solid  State  Drive）などの補助記憶装置１０５と、ディスプレイなどの表示装置１０７と、マウス、キーボード、又はタッチパネルなどの入力装置１０９と、通信インタフェースである通信装置１１１と、を備えており、通常のコンピュータを利用したハードウェア構成となっている。なお、補助記憶装置１０５、表示装置１０７、入力装置１０９、及び通信装置１１１は、内蔵されていても外付けであってもどちらでもよい。
【００２３】
図３は、本実施形態の契約管理装置２０のハードウェア構成の一例を示すブロック図である。図３に示すように、契約管理装置２０は、ＣＰＵやＧＰＵなどの制御装置２０１と、ＲＯＭやＲＡＭなどの主記憶装置２０３と、ＨＤＤやＳＳＤなどの補助記憶装置２０５と、ディスプレイなどの表示装置２０７と、マウス、キーボード、又はタッチパネルなどの入力装置２０９と、通信インタフェースである通信装置２１１と、を備えており、通常のコンピュータを利用したハードウェア構成となっている。なお、補助記憶装置２０５、表示装置２０７、入力装置２０９、及び通信装置２１１は、内蔵されていても外付けであってもどちらでもよい。
【００２４】
図４は、本実施形態の機器管理装置４０のハードウェア構成の一例を示すブロック図である。図４に示すように、機器管理装置４０は、ＣＰＵやＧＰＵなどの制御装置４０１と、ＲＯＭやＲＡＭなどの主記憶装置４０３と、ＨＤＤやＳＳＤなどの補助記憶装置４０５と、ディスプレイなどの表示装置４０７と、マウス、キーボード、又はタッチパネルなどの入力装置４０９と、通信インタフェースである通信装置４１１と、を備えており、通常のコンピュータを利用したハードウェア構成となっている。なお、補助記憶装置４０５、表示装置４０７、入力装置４０９、及び通信装置４１１は、内蔵されていても外付けであってもどちらでもよい。
【００２５】
図５は、本実施形態の蓄積装置５０のハードウェア構成の一例を示すブロック図である。図５に示すように、蓄積装置５０は、ＣＰＵやＧＰＵなどの制御装置５０１と、ＲＯＭやＲＡＭなどの主記憶装置５０３と、ＨＤＤやＳＳＤなどの補助記憶装置５０５と、ディスプレイなどの表示装置５０７と、マウス、キーボード、又はタッチパネルなどの入力装置５０９と、通信インタフェースである通信装置５１１と、を備えており、通常のコンピュータを利用したハードウェア構成となっている。なお、補助記憶装置５０５、表示装置５０７、入力装置５０９、及び通信装置５１１は、内蔵されていても外付けであってもどちらでもよい。
【００２６】
図６は、本実施形態の機器管理システム１の機能構成の一例を示すブロック図である。図６に示すように、中継装置１０は、契約情報取得部１５１と、契約情報記憶部１５３と、蓄積機能制御部１５５と、機器情報取得部１５７と、機器管理情報生成部１５９と、送信部１６１と、契約開示レベル情報取得部１６３と、蓄積制御情報記憶部１６５と、蓄積基準情報取得部１６７と、蓄積機器情報生成部１６９と、蓄積制御部１７１と、を含む。
【００２７】
契約情報取得部１５１、機器情報取得部１５７、送信部１６１、及び蓄積制御部１７１は、例えば、制御装置１０１、主記憶装置１０３、及び通信装置１１１により実現でき、契約情報記憶部１５３及び蓄積制御情報記憶部１６５は、例えば、主記憶装置１０３及び補助記憶装置１０５の少なくともいずれかにより実現でき、蓄積機能制御部１５５、機器管理情報生成部１５９、契約開示レベル情報取得部１６３、蓄積基準情報取得部１６７、及び蓄積機器情報生成部１６９は、例えば、制御装置１０１及び主記憶装置１０３により実現できる。
【００２８】
また図６に示すように、契約管理装置２０は、登録部２５１と、契約情報記憶部２５３と、通信部２５５と、を含む。登録部２５１は、例えば、制御装置２０１及び主記憶装置２０３により実現でき、契約情報記憶部２５３は、例えば、主記憶装置２０３及び補助記憶装置２０５の少なくともいずれかにより実現でき、通信部２５５は、例えば、制御装置２０１、主記憶装置２０３、及び通信装置２１１により実現できる。
【００２９】
また図６に示すように、機器管理装置４０は、受信部４５１と、管理部４５３と、機器管理情報記憶部４５５と、を含む。受信部４５１は、例えば、制御装置４０１、主記憶装置４０３、及び通信装置４１１により実現でき、管理部４５３は、例えば、制御装置４０１及び主記憶装置４０３により実現でき、機器管理情報記憶部４５５は、例えば、主記憶装置４０３及び補助記憶装置４０５の少なくともいずれかにより実現できる。
【００３０】
また図６に示すように、蓄積装置５０は、管理部５５１と、蓄積機器情報記憶部５５３と、を含む。管理部５５１は、例えば、制御装置５０１、主記憶装置５０３、及び通信装置５１１により実現でき、蓄積機器情報記憶部５５３は、例えば、主記憶装置５０３及び補助記憶装置５０５の少なくともいずれかにより実現できる。
【００３１】
登録部２５１は、契約情報を契約情報記憶部２５３に登録する。具体的には、登録部２５１は、管理側の担当者による入力装置２０９からの操作指示に基づいて、契約情報を契約情報記憶部２５３に登録したり、契約情報記憶部２５３に登録済みの契約情報の契約内容を更新したりする。
【００３２】
契約情報は、前述の通り、利用側が管理側との間で締結した秘密保持契約の内容を電子化した情報である。秘密保持契約の内容としては、例えば、図７に示すようなものが挙げられる。本実施形態では、契約情報は、少なくとも、秘密保持契約により定められた開示レベルを示す契約開示レベル情報、秘密保持契約の有効期間を示す有効期間情報、秘密保持契約の契約番号、及び秘密保持契約が適用される中継装置のＩＤ、即ち、利用側の中継装置のＩＤを含む。図７に示す例の場合、開示レベルはレベルＢ、有効期間は２０１５年４月１日〜２０１６年３月３１日となる。
【００３３】
契約情報取得部１５１は、契約管理装置２０から契約情報を取得し、契約情報記憶部１５３に記憶する。具体的には、契約情報取得部１５１は、利用側の担当者による入力装置１０９からの契約番号及び中継装置１０のＩＤの入力を受け付け、受け付けた契約番号及び中継装置１０のＩＤを契約管理装置２０に送信する。そして通信部２５５は、中継装置１０から、契約番号及び中継装置１０のＩＤを受信し、受信した契約番号、中継装置１０のＩＤとそれぞれ一致する契約番号、中継装置のＩＤを含む契約情報を契約情報記憶部２５３から取得し、中継装置１０に送信する。これにより、契約情報取得部１５１は、契約管理装置２０から契約情報を取得する。
【００３４】
なお、通信部２５５は、登録部２５１により契約情報記憶部２５３に登録済みの契約情報の契約内容が更新された場合、更新後の契約情報を契約情報記憶部２５３から取得し、中継装置１０に送信する。この場合、契約情報取得部１５１は、契約管理装置２０から更新後の契約情報を取得し、取得した更新後の契約情報で契約情報記憶部１５３に記憶されている契約情報を更新する。
【００３５】
また、通信部２５５は、受信した契約番号、中継装置１０のＩＤとそれぞれ一致する契約番号、中継装置のＩＤを含む契約情報が契約情報記憶部２５３に記憶されていない場合、契約情報を中継装置１０に送信しない。
【００３６】
蓄積機能制御部１５５は、蓄積機能の有効化及び無効化を制御する。具体的には、蓄積機能制御部１５５は、契約情報取得部１５１により契約情報が取得されると、即ち、契約情報記憶部１５３に契約情報が記憶されると、蓄積機能を有効化する。また蓄積機能制御部１５５は、契約情報記憶部１５３に記憶された契約情報の有効期間情報が示す有効期間を定期的に確認し、有効期間が経過すると、蓄積機能を無効化する。本実施形態では、蓄積機能制御部１５５は、フラグにより蓄積機能の有効化及び無効化を制御しているものとするが、蓄積機能の有効化及び無効化の制御手法は、これに限定されるものではない。
【００３７】
機器情報取得部１５７は、機器３０から、当該機器３０の機器情報を取得する。機器情報は、機器３０に関する情報であればどのような情報であってもよく、例えば、機器３０のステータスやカウンタ値などが挙げられる。
【００３８】
機器管理情報生成部１５９は、機器情報取得部１５７により取得された機器情報に付加情報を付加して機器管理情報を生成する。付加情報としては、例えば、機器３０の機器情報の取得に用いたプロトコルなどのＩ／Ｆ情報や、機器管理装置４０のＩＰアドレスなど機器管理情報のヘッダ情報となる情報などが挙げられる。
【００３９】
送信部１６１は、機器管理情報生成部１５９により生成された機器管理情報を機器管理装置４０に送信する。
【００４０】
受信部４５１は、中継装置１０から機器管理情報を受信する。
【００４１】
管理部４５３は、受信部４５１により受信された機器管理情報を管理する。具体的には、管理部４５３は、受信部４５１により受信された機器管理情報を機器管理情報記憶部４５５に記憶し、機器管理情報記憶部４５５上で機器管理情報を管理する。
【００４２】
契約開示レベル情報取得部１６３は、契約開示レベル情報を取得する。具体的には、契約開示レベル情報取得部１６３は、契約情報記憶部１５３に記憶された契約情報から契約開示レベル情報を取得する。詳細には、契約開示レベル情報取得部１６３は、蓄積機能制御部１５５により蓄積機能が有効化されている場合、契約情報から契約開示レベル情報を取得し、蓄積機能制御部１５５により蓄積機能が無効化されている場合、契約情報から契約開示レベル情報を取得しない。
【００４３】
蓄積制御情報記憶部１６５は、開示レベル毎に、蓄積が許可される情報及び蓄積が許可されない情報の少なくともいずれかを示す蓄積基準情報を対応付けた蓄積制御情報を記憶する。
【００４４】
図８は、本実施形態の蓄積制御情報の一例を示す図である。図８に示す例では、開示レベルＡの場合、全ての情報の蓄積が許可され、開示レベルＢの場合、機器管理事業者の設計情報以外の情報の蓄積が許可され、開示レベルＤの場合、機器のステータスやカウンタ値の蓄積が許可される。つまり、図８に示す例では、項目毎の蓄積可／蓄積不可が蓄積基準情報に該当する。機器管理事業者の設計情報としては、例えば、付加情報として付加された機器管理情報のヘッダ情報やＩ／Ｆ情報などが挙げられる。項目Ａ〜Ｆについては、機器情報に含まれ、ステータスやカウンタ値以外の情報などが挙げられる。
【００４５】
蓄積基準情報取得部１６７は、蓄積制御情報記憶部１６５に記憶されている蓄積制御情報から、契約開示レベル情報取得部１６３により取得された契約開示レベル情報が示す開示レベルに対応付けられた蓄積基準情報を取得する。図７及び図８に示す例の場合、開示レベルはレベルＢであるため、蓄積基準情報取得部１６７は、機器管理事業者の設計情報以外の情報の蓄積が許可されることを示す蓄積基準情報を取得する。
【００４６】
蓄積機器情報生成部１６９は、契約開示レベル情報取得部１６３により取得された契約開示レベル情報に基づいて、機器管理情報生成部１５９により生成された機器管理情報から蓄積用の蓄積機器情報を生成する。具体的には、蓄積機器情報生成部１６９は、機器管理情報生成部１５９により生成された機器管理情報から、蓄積基準情報取得部１６７により取得された蓄積基準情報が示す蓄積が許可される情報を抽出して、蓄積機器情報を生成する。
【００４７】
例えば、蓄積基準情報が機器管理事業者の設計情報以外の情報の蓄積が許可されることを示す場合、蓄積機器情報生成部１６９は、機器管理情報生成部１５９により生成された機器管理情報から、機器管理情報のヘッダ情報やＩ／Ｆ情報以外のステータスやカウンタ値などの情報を抽出して、蓄積機器情報を生成する。
【００４８】
なお、蓄積機器情報生成部１６９は、機器管理情報生成部１５９により生成された機器管理情報のうち、蓄積基準情報取得部１６７により取得された蓄積基準情報が示す蓄積が許可されない情報を暗号化して、蓄積機器情報を生成するようにしてもよい。
【００４９】
蓄積制御部１７１は、蓄積機器情報生成部１６９により生成された蓄積機器情報を蓄積装置５０に蓄積させる。具体的には、蓄積制御部１７１は、蓄積機器情報生成部１６９により生成された蓄積機器情報を蓄積装置５０に送信し、蓄積を指示する。
【００５０】
管理部５５１は、中継装置１０から蓄積機器情報及び蓄積指示を受信すると、受信した蓄積機器情報を蓄積機器情報記憶部５５３に蓄積（記憶）する。
【００５１】
図９は、本実施形態の機器管理システム１で実行される契約情報登録処理の一例を示すシーケンス図である。
【００５２】
まず、登録部２５１は、管理側の担当者による入力装置２０９からの操作指示に基づいて、契約情報を契約情報記憶部２５３に登録する（ステップＳ１０１）。
【００５３】
続いて、契約情報取得部１５１は、利用側の担当者による入力装置１０９からの契約番号及び中継装置１０のＩＤの入力を受け付け（ステップＳ１０３）、受け付けた契約番号及び中継装置１０のＩＤを契約管理装置２０に送信する（ステップＳ１０５）。
【００５４】
続いて、通信部２５５は、中継装置１０から、契約番号及び中継装置１０のＩＤを受信し、受信した契約番号、中継装置１０のＩＤとそれぞれ一致する契約番号、中継装置のＩＤを含む契約情報を契約情報記憶部２５３から取得し（ステップＳ１０７）、中継装置１０に送信する（ステップＳ１０９）。
【００５５】
続いて、契約情報取得部１５１は、契約管理装置２０から契約情報を取得し、契約情報記憶部１５３に登録する（ステップＳ１１１）。
【００５６】
図１０は、本実施形態の機器管理システム１で実行される契約情報更新処理の一例を示すシーケンス図である。
【００５７】
まず、登録部２５１は、管理側の担当者による入力装置２０９からの操作指示に基づいて、契約情報記憶部２５３に登録済みの契約情報の契約内容を更新する（ステップＳ２０１）。
【００５８】
続いて、通信部２５５は、更新後の契約情報を契約情報記憶部２５３から取得し、中継装置１０に送信する（ステップＳ２０３）。
【００５９】
続いて、契約情報取得部１５１は、契約管理装置２０から更新後の契約情報を取得し、取得した更新後の契約情報で契約情報記憶部１５３に記憶されている契約情報を更新する（ステップＳ２０５）。
【００６０】
図１１は、本実施形態の中継装置１０で実行される蓄積機能制御処理の一例を示すフローチャートである。
【００６１】
まず、蓄積機能制御部１５５は、契約情報取得部１５１により契約情報が取得され、契約情報記憶部１５３に契約情報が記憶されると（ステップＳ３０１）、蓄積機能を有効化する（ステップＳ３０３）。
【００６２】
続いて、蓄積機能制御部１５５は、契約情報記憶部１５３に記憶された契約情報の有効期間情報が示す有効期間が経過するまで有効期間の確認を繰り返す（ステップＳ３０５でＮｏ）。
【００６３】
続いて、蓄積機能制御部１５５は、有効期間の経過を確認すると（ステップＳ３０５でＹｅｓ）、蓄積機能を無効化する（ステップＳ３０７）。
【００６４】
図１２は、本実施形態の機器管理システム１で実行される機器管理処理の一例を示すシーケンス図である。
【００６５】
まず、機器情報取得部１５７は、機器３０に機器情報を要求する（ステップＳ４０１）。
【００６６】
続いて、機器３０は、自身（機器３０）の機器情報を中継装置１０に提供し、機器情報取得部１５７は、機器３０の機器情報を取得する（ステップＳ４０３）。
【００６７】
続いて、機器管理情報生成部１５９は、機器情報取得部１５７により取得された機器情報に付加情報を付加して機器管理情報を生成する（ステップＳ４０５）。
【００６８】
続いて、送信部１６１は、機器管理情報生成部１５９により生成された機器管理情報を機器管理装置４０に送信し、受信部４５１は、中継装置１０から機器管理情報を受信する（ステップＳ４０７）。
【００６９】
続いて、管理部４５３は、受信部４５１により受信された機器管理情報を機器管理情報記憶部４５５に記憶し、機器管理情報記憶部４５５上で機器管理情報を管理する（ステップＳ４０９）。
【００７０】
図１３は、本実施形態の中継装置１０で実行される蓄積機器情報生成処理の一例を示すフローチャートである。
【００７１】
まず、契約開示レベル情報取得部１６３は、蓄積機能制御部１５５により蓄積機能が有効化されていれば（ステップＳ５０１でＹｅｓ）、契約情報記憶部１５３に記憶された契約情報から契約開示レベル情報を取得する（ステップＳ５０３）。なお、蓄積機能制御部１５５により蓄積機能が無効化されている場合（ステップＳ５０１でＮｏ）、蓄積機器情報の生成は行われない。
【００７２】
続いて、蓄積基準情報取得部１６７は、蓄積制御情報記憶部１６５に記憶されている蓄積制御情報から、契約開示レベル情報取得部１６３により取得された契約開示レベル情報が示す開示レベルに対応付けられた蓄積基準情報を取得する（ステップＳ５０５）。
【００７３】
続いて、蓄積機器情報生成部１６９は、機器管理情報生成部１５９により生成された機器管理情報から、蓄積基準情報取得部１６７により取得された蓄積基準情報が示す蓄積が許可される情報を抽出して、蓄積機器情報を生成する（ステップＳ５０７）。
【００７４】
図１４は、本実施形態の機器管理システム１で実行される蓄積処理の一例を示すシーケンス図である。
【００７５】
まず、蓄積制御部１７１は、蓄積機器情報生成部１６９により生成された蓄積機器情報を蓄積装置５０に送信し、蓄積を指示する（ステップＳ６０１）。
【００７６】
続いて、管理部５５１は、中継装置１０から蓄積機器情報及び蓄積指示を受信すると、受信した蓄積機器情報を蓄積機器情報記憶部５５３に蓄積する（ステップＳ６０３）。
【００７７】
以上のように本実施形態では、中継装置１０が契約情報を管理する契約管理装置２０と連携し、契約管理装置２０で管理されている契約情報を用いて、機器管理情報から蓄積用の蓄積機器情報を生成し、蓄積装置５０に蓄積させるので、秘密保持契約に沿った機器管理情報の蓄積を自動化することができる。従って本実施形態によれば、契約に沿った内容で機器管理情報を蓄積させることができる。
【００７８】
（プログラム）
本実施形態の中継装置１０、契約管理装置２０、機器３０、機器管理装置４０、及び蓄積装置５０（以下、「本実施形態の各装置」と称する）で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００７９】
また、本実施形態の各装置で実行されるプログラムを、インターネット等のネットワークに接続されたコンピュータ上に格納し、ネットワーク経由でダウンロードさせることにより提供するようにしてもよい。また、本実施形態の各装置で実行されるプログラムを、インターネット等のネットワーク経由で提供または配布するようにしてもよい。また、本実施形態の各装置で実行されるプログラムを、ＲＯＭ等に予め組み込んで提供するようにしてもよい。
【００８０】
本実施形態の各装置で実行されるプログラムは、上述した各部をコンピュータ上で実現させるためのモジュール構成となっている。実際のハードウェアとしては、例えば、ＣＰＵがＲＯＭからプログラムをＲＡＭ上に読み出して実行することにより、上記各機能部がコンピュータ上で実現されるようになっている。
【符号の説明】
【００８１】
１  機器管理システム
２  内部ネットワーク
３  外部ネットワーク
１０  中継装置
２０  契約管理装置
３０  機器
４０  機器管理装置
５０  蓄積装置
１０１  制御装置
１０３  主記憶装置
１０５  補助記憶装置
１０７  表示装置
１０９  入力装置
１１１  通信装置
１５１  契約情報取得部
１５３  契約情報記憶部
１５５  蓄積機能制御部
１５７  機器情報取得部
１５９  機器管理情報生成部
１６１  送信部
１６３  契約開示レベル情報取得部
１６５  蓄積制御情報記憶部
１６７  蓄積基準情報取得部
１６９  蓄積機器情報生成部
１７１  蓄積制御部
２０１  制御装置
２０３  主記憶装置
２０５  補助記憶装置
２０７  表示装置
２０９  入力装置
２１１  通信装置
２５１  登録部
２５３  契約情報記憶部
２５５  通信部
４０１  制御装置
４０３  主記憶装置
４０５  補助記憶装置
４０７  表示装置
４０９  入力装置
４１１  通信装置
４５１  受信部
４５３  管理部
４５５  機器管理情報記憶部
５０１  制御装置
５０３  主記憶装置
５０５  補助記憶装置
５０７  表示装置
５０９  入力装置
５１１  通信装置
５５１  管理部
５５３  蓄積機器情報記憶部
【先行技術文献】
【特許文献】
【００８２】
【特許文献１】特開２０１０−６１５６２号公報
【図１】
0006507845.tif 000002
【図２】
0006507845.tif 000003
【図３】
0006507845.tif 000004
【図４】
0006507845.tif 000005
【図５】
0006507845.tif 000006
【図６】
0006507845.tif 000007
【図７】
0006507845.tif 000008
【図８】
0006507845.tif 000009
【図９】
0006507845.tif 000010
【図１０】
0006507845.tif 000011
【図１１】
0006507845.tif 000012
【図１２】
0006507845.tif 000013
【図１３】
0006507845.tif 000014
【図１４】
0006507845.tif 000015